(57)【要約】【課題】床下の狭い空間での作業をなくし、施工性にすぐれ、信頼性の高い気密性が確保できる、床梁用断熱材、建物基礎の断熱構造、建物、および床梁用断熱材の施工方法を提供することにある。【解決手段】本発明の床梁用断熱材１は、合成樹脂発泡体で形成され、建物基礎３の上に設置される鋼製床梁２の側面と設置面とを覆うことが可能な形状になされていることを特徴とする。【選択図】  図１
2004250916.tif 000002
【特許請求の範囲】
【請求項１】
合成樹脂発泡体で形成され、建物基礎の上に設置される鋼製床梁の側面と設置面とを覆うことが可能な形状になされていることを特徴とする床梁用断熱材。
【請求項２】
上下のフランジ間にウェブを架け渡した形鋼で形成された前記床梁のウェブを覆う本体部と、本体部の側方に設けられた側面部と、側面部の下端部から本体部との間に床梁の下フランジを挿入可能な隙間を形成して設けられたひれ部とからなることを特徴とする請求項１記載の床梁用断熱材。
【請求項３】
建物基礎の立ち上がり壁の内側に基礎断熱材が取り付けられた建物基礎の断熱構造において、
請求項１または２記載の床梁用断熱材が、基礎上に設置される床梁の側面と設置面とを覆う状態で取り付けられていることを特徴とする建物基礎の断熱構造。
【請求項４】
請求項３記載の断熱構造になされた建物基礎の上に建物本体が設置されていることを特徴とする建物。
【請求項５】
請求項１または２記載の床梁用断熱材を予め床梁に取り付けておき、この床梁を建物基礎の上に取り付けることを特徴とする床梁用断熱材の施工方法。
【発明の詳細な説明】
【０００１】
【発明の属する技術分野】
本発明は、床梁用断熱材、建物基礎の断熱構造、建物、および床梁用断熱材の施工方法に関する。
【０００２】
【従来の技術】
従来の基礎用断熱板及び基礎断熱気密工法は、木造住宅の基礎／土台部分における高断熱性・高気密性を容易に且つ確実に実現し得るように、合成樹脂発泡板の上部に、耳部を出した状態で気密フィルムを付設した基礎用断熱板とし、この気密フィルムを用いて基礎／土台間の気密処理を行うようにしたものである（特許文献１参照）。
【０００３】
【特許文献１】
特開平９−１２５５３９号公報
【０００４】
【発明が解決しようとする課題】
しかしながら、上記特許文献１記載のような基礎断熱気密工法においては、基礎上端部の断熱気密性を確保するために、気密フィルムの施工を床下の狭い空間で作業する必要があった。このため、作業性が悪く、信頼性の高い気密性の確保が困難であった。
【０００５】
本発明の課題は、床下の狭い空間での作業をなくし、施工性にすぐれ、信頼性の高い気密性が確保できる、床梁用断熱材、建物基礎の断熱構造、建物、および床梁用断熱材の施工方法を提供することにある。
【０００６】
【課題を解決するための手段】
請求項１記載の発明は、合成樹脂発泡体で形成され、建物基礎の上に設置される鋼製床梁の側面と設置面とを覆うことが可能な形状になされていることを特徴とする床梁用断熱材である。
【０００７】
請求項２記載の発明は、請求項１記載の床梁用断熱材において、上下のフランジ間にウェブを架け渡した形鋼で形成された前記床梁のウェブを覆う本体部と、本体部の側方に設けられた側面部と、側面部の下端部から本体部との間に床梁の下フランジを挿入可能な隙間を形成して設けられたひれ部とからなることを特徴とする。
【０００８】
請求項３記載の発明は、建物基礎の立ち上がり壁の内側に基礎断熱材が取り付けられた建物基礎の断熱構造において、
請求項１または２記載の床梁用断熱材が、基礎上に設置される床梁の側面と設置面とを覆う状態で取り付けられていることを特徴とする。
【０００９】
請求項４記載の発明は、請求項３記載の断熱構造になされた建物基礎の上に建物本体が設置されていることを特徴とする建物である。
【００１０】
請求項５記載の発明は、請求項１または２記載の床梁用断熱材を予め床梁に取り付けておき、この床梁を建物基礎の上に取り付けることにより、前記床梁用断熱材を基礎天端と床梁との間に圧縮状態にすることを特徴とする床梁用断熱材の施工方法である。
【００１１】
（作用）
請求項１記載の本発明の床梁用断熱材は、合成樹脂発泡体で形成され、建物基礎の上に設置される鋼製床梁の側面と設置面とを覆うことが可能な形状になされているので、これを請求項５記載のように、予め床梁に取り付けておき、この床梁を建物基礎の上に取り付けるようにすると、前記床梁用断熱材は基礎上と床梁との間に挟まれて圧縮状態になされ、床下の狭い空間での作業をなくし、施工性にすぐれ、信頼性の高い気密性が確保できる。
【００１２】
請求項２記載の本発明の床梁用断熱材によると、さらに、床梁のウェブを覆う本体部と、本体部の側方に設けられた側面部と、側面部の下端部から本体部との間に床梁の下フランジを挿入可能な隙間を形成して設けられたひれ部とからなるので、本体部とひれ部との間の隙間に下フランジを挿入するだけで床梁用断熱材を取付けでき、取付け時の作業性がよい。
【００１３】
請求項３記載の本発明の建物基礎の断熱構造と、請求項４記載の建物によると、請求項１または２記載の床梁用断熱材が、基礎上に設置される床梁の側面と設置面とを覆う状態で取り付けられているので、請求項１または２記載の発明と同様の作用を奏する。
【００１４】
【発明の実施の形態】
図１は、本発明の一実施の形態を示し、（イ）は床梁用断熱材の部分斜視図、（ロ）は床梁に取り付けられた床梁用断熱材の断面図である。図２は、建物基礎の断熱構造を示す断面図である。
【００１５】
本実施の形態の床梁用断熱材１は、図１に示すように、ポリエチレン等の合成樹脂発泡体で形成された成形体であって、建物基礎３の上に設置される鋼製床梁２の側面と設置面とを覆うことが可能な形状になされている。
【００１６】
具体的には、上記床梁２は、上フランジ２１と下フランジ２２間にウェブ２３を架け渡した断面略コ字形のＣ形鋼で形成されている。
上記床梁用断熱材１は、前記床梁２の開口側から挿入されウェブ２３を覆う本体部１１と、本体部１１の側方に設けられた側面部１２と、側面部１２の下端部から本体部１１との間に床梁２の下フランジ２２を挿入可能な隙間１５を形成して設けられた下ひれ部１３と、側面部１２の上端部から本体部１１との間に床梁２の上フランジ２１を挿入可能な隙間１６を形成して設けられた上ひれ部１４とから構成されている。
【００１７】
本実施の形態の建物基礎３の断熱構造は、図２に示すように、コンクリート製の建物基礎３の立ち上がり壁の内側に基礎断熱材４が取り付けられたものであって、上記の床梁用断熱材１が、基礎３上に設置される床梁２の側面と設置面とを覆う状態で取り付けられている。
基礎３上の設置面においては、コンクリート部から基礎断熱材４にわたって床梁用断熱材１の下面が覆っているので、基礎内側にコンクリート部の露出部はない。
【００１８】
そして、上記の断熱構造になされた建物基礎３の上には、建物本体（不図示）が設置されている。
【００１９】
床梁用断熱材１の施工方法においては、図１（ロ）に示すように、床梁用断熱材１を予め床梁２に取り付けておき、この床梁２を建物基礎３の上に取り付けるようにする。
【００２０】
（実施の形態の作用）
本実施の形態の床梁用断熱材１は、合成樹脂発泡体で形成され、建物基礎３の上に設置される鋼製床梁２の側面と設置面とを覆うことが可能な形状になされているので、これを予め床梁２に取り付けておき、この床梁２を建物基礎３の上に取り付けるようにすると、前記床梁用断熱材１は基礎３上と床梁２との間に挟まれて圧縮状態になされ、床下の狭い空間での作業をなくし、施工性にすぐれ、信頼性の高い気密性が確保できる。
【００２１】
さらに、床梁２のウェブ２３を覆う本体部１１と、本体部１１の側方に設けられた側面部１２と、側面部１２の下端部から本体部１１との間に床梁２の下フランジ２２を挿入可能な隙間１５を形成して設けられた下ひれ部１３と、側面部１２の上端部から本体部１１との間に床梁２の上フランジ２１を挿入可能な隙間１６を形成して設けられた上ひれ部１３とから構成されているので、本体部１１とひれ部１３，１４との間の隙間１５，１６に下フランジ２２と上フランジ２１を挿入するだけで床梁用断熱材１を取付けでき、取付け時の作業性がよい。
【００２２】
以上、本発明の一実施の形態を図面により詳述したが、本発明の具体的な構成はこの実施の形態に限られるものではなく、本発明の要旨を逸脱しない範囲の設計の変更等があっても本発明に含まれる。
【００２３】
【発明の効果】
請求項１記載の本発明の床梁用断熱材を請求項５記載のように、予め床梁に取り付けておき、この床梁を建物基礎の上に取り付けるようにすると、前記床梁用断熱材は基礎上と床梁との間に挟まれて圧縮状態になされ、床下の狭い空間での作業をなくし、施工性にすぐれ、信頼性の高い気密性が確保できる。
【００２４】
請求項２記載の本発明の床梁用断熱材によると、さらに、本体部とひれ部との間の隙間に下フランジを挿入するだけで床梁用断熱材を取付けでき、取付け時の作業性がよい。
【００２５】
請求項３記載の本発明の建物基礎の断熱構造と、請求項４記載の建物によると、請求項１または２記載の床梁用断熱材が、基礎上に設置される床梁の側面と基礎上に設置される床梁の設置面とを覆う状態で取り付けられているので、請求項１または２記載の発明と同様の作用を奏する。
【図面の簡単な説明】
【図１】本発明の一実施の形態を示し、（イ）は床梁用断熱材の部分斜視図、（ロ）は床梁に取り付けられた床梁用断熱材の断面図である。
【図２】建物基礎の断熱構造を示す断面図である。
【符号の説明】
１        床梁用断熱材
１１      本体部
１２      側面部
１３      下ひれ部
１４      上ひれ部
１５，１６  隙間
２        床梁
２１      上フランジ
２２      下フランジ
２３      ウェブ
３        建物基礎
４        基礎断熱材
【図１】
2004250916.tif 000003
【図２】
2004250916.tif 000004